【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
端末装置であって、
印刷仲介サーバを利用するための認証情報をプリンタに送信する第１の送信部と、
Ｍ個（前記Ｍは２以上の整数）のファイルに関係するＭ個のファイル関係情報と、前記認証情報と、が、前記印刷仲介サーバに関連付けて登録されている場合に、前記認証情報を利用して、前記印刷仲介サーバから、前記Ｍ個のファイルを識別するためのＭ個のファイル識別情報を取得する第１の取得部と、
前記Ｍ個のファイル識別情報の中から第１のファイル識別情報をユーザに選択させるための第１の選択画面を、前記端末装置の表示部に表示させる第１の表示制御部と、
前記第１のファイル識別情報を含む印刷指示を前記プリンタに送信する第２の送信部であって、前記認証情報と前記第１のファイル識別情報とは、前記印刷指示を受信した前記プリンタが、前記第１のファイル識別情報によって識別される第１のファイルから生成される印刷データを、前記印刷仲介サーバから取得するために、前記プリンタによって利用される、前記第２の送信部と、
を備える端末装置。
【請求項２】
前記端末装置は、さらに、
前記プリンタとの特定通信を実行する特定通信実行部を備え、
前記第１の取得部は、前記プリンタとの前記特定通信が実行されたことを契機として、前記印刷仲介サーバから前記Ｍ個のファイル識別情報を取得する、請求項１に記載の端末装置。
【請求項３】
前記特定通信実行部は、前記プリンタが実際に利用可能な実際印刷条件に関係する印刷条件関係情報を前記プリンタから受信することを含む前記特定通信を実行する、請求項２に記載の端末装置。
【請求項４】
前記特定通信実行部は、前記プリンタへの前記認証情報の送信に応じて、前記プリンタから前記印刷条件関係情報を受信することを含む前記特定通信を実行する、請求項３に記載の端末装置。
【請求項５】
前記端末装置は、さらに、
前記印刷条件関係情報を利用して、第２の選択画面を前記表示部に表示させる第２の表示制御部であって、前記第２の選択画面は、前記実際印刷条件の中から印刷設定をユーザに選択させるための画面である、前記第２の表示制御部を備え、
前記第２の送信部は、前記第１のファイル識別情報と、前記印刷設定を示す印刷設定情報と、を含む前記印刷指示を前記プリンタに送信し、
前記印刷設定情報は、前記印刷指示を受信した前記プリンタが、前記印刷設定に従って前記第１のファイルから生成される前記印刷データを、前記印刷仲介サーバから取得するために、前記認証情報及び前記第１のファイル識別情報と共に、前記プリンタによって利用される、請求項３又は４に記載の端末装置。
【請求項６】
前記第１の送信部と前記第２の送信部とは、前記認証情報と前記第１のファイル識別情報とを含む前記印刷指示を前記プリンタに送信する、請求項１から３のいずれか一項に記載の端末装置。
【請求項７】
前記第１の送信部は、前記認証情報を暗号化することによって得られる暗号化認証情報を前記プリンタに送信することによって、前記認証情報を前記プリンタに送信する、請求項１から６のいずれか一項に記載の端末装置。
【請求項８】
前記第１の送信部は、前記プリンタの位置を示す位置情報を利用せずに、前記認証情報を前記プリンタに送信し、
前記第２の送信部は、前記位置情報を利用せずに、前記印刷指示を前記プリンタに送信する、請求項１から７のいずれか一項に記載の端末装置。
【請求項９】
前記第１の取得部は、所定の通信方式に従った無線通信を実行して、前記印刷仲介サーバから前記Ｍ個のファイル識別情報を取得し、
前記第１の送信部は、前記所定の通信方式よりも近距離の無線通信を実行するための近距離無線通信方式に従った無線通信を実行して、前記認証情報を前記プリンタに送信し、
前記第２の送信部は、前記近距離無線通信方式に従った無線通信を実行して、前記印刷指示を前記プリンタに送信する、請求項１から８のいずれか一項に記載の端末装置。
【請求項１０】
端末装置であって、
Ｍ個（前記Ｍは２以上の整数）のファイルに関係するＭ個のファイル関係情報と、印刷仲介サーバを利用するための認証情報と、が、前記印刷仲介サーバに関連付けて登録されている場合に、前記認証情報を利用して、前記印刷仲介サーバから、前記Ｍ個のファイルを識別するためのＭ個のファイル識別情報を取得する第１の取得部と、
前記Ｍ個のファイル識別情報の中から第１のファイル識別情報をユーザに選択させるための第１の選択画面を、前記端末装置の表示部に表示させる第１の表示制御部と、
前記認証情報と前記第１のファイル識別情報とをプリンタに送信する送信部であって、前記認証情報と前記第１のファイル識別情報とは、前記認証情報と前記第１のファイル識別情報とを受信した前記プリンタが、前記第１のファイル識別情報によって識別される第１のファイルから生成される印刷データを、前記印刷仲介サーバから取得するために、前記プリンタによって利用される、前記送信部と、
を備える端末装置。
【請求項１１】
前記送信部は、前記認証情報を暗号化することによって得られる暗号化認証情報を前記プリンタに送信することによって、前記認証情報を前記プリンタに送信する、請求項１０に記載の端末装置。
【請求項１２】
前記送信部は、前記プリンタの位置を示す位置情報を利用せずに、前記認証情報と前記第１のファイル識別情報とを前記プリンタに送信する、請求項１０又は１１に記載の端末装置。
【請求項１３】
前記第１の取得部は、所定の通信方式に従った無線通信を実行して、前記印刷仲介サーバから前記Ｍ個のファイル識別情報を取得し、
前記送信部は、前記所定の通信方式よりも近距離の無線通信を実行するための近距離無線通信方式に従った無線通信を実行して、前記認証情報と前記第１のファイル識別情報とを前記プリンタに送信する、請求項１０から１２のいずれか一項に記載の端末装置。
【請求項１４】
前記端末装置は、さらに、
仮想プリンタに関係するプリンタ関係情報を前記印刷仲介サーバに登録するための第１の要求を、前記印刷仲介サーバに供給する第１の供給部と、
前記プリンタ関係情報に関連付けて前記印刷仲介サーバに登録されるべき前記認証情報を、前記印刷仲介サーバから取得する第２の取得部と、
を備え、
前記プリンタ関係情報と前記Ｍ個のファイル関係情報と前記認証情報とが、前記印刷仲介サーバに関連付けて登録されている場合に、前記第１の取得部は、取得済みの前記認証情報を利用して、前記印刷仲介サーバから前記Ｍ個のファイル識別情報を取得する、請求項１から１３のいずれか一項に記載の端末装置。
【請求項１５】
前記端末装置は、さらに、
前記プリンタ関係情報が前記印刷仲介サーバに登録された後に、前記Ｍ個のファイル関係情報を前記印刷仲介サーバに登録するためのＭ個の第２の要求を、前記印刷仲介サーバに供給する第２の供給部を備える、請求項１４に記載の端末装置。
【請求項１６】
プリンタであって、
印刷実行部と、
制御部と、を備え、
前記制御部は、
第１の端末装置から、印刷仲介サーバを利用するための第１の認証情報を受信する第１の受信部と、
Ｍ個（前記Ｍは２以上の整数）のファイルに関係するＭ個のファイル関係情報と、前記第１の認証情報と、が、前記印刷仲介サーバに関連付けて登録されている場合に、前記第１の端末装置から、第１のファイル識別情報を含む第１の印刷指示を受信する第２の受信部であって、前記第１のファイル識別情報は、前記Ｍ個のファイルを識別するためのＭ個のファイル識別情報の中から、前記第１の端末装置のユーザによって選択されるファイル識別情報である、前記第２の受信部と、
前記第１の端末装置から前記第１の印刷指示が受信される場合に、前記第１の認証情報と前記第１のファイル識別情報とを利用して、前記第１のファイル識別情報によって識別される第１のファイルから生成される第１の印刷データを、前記印刷仲介サーバから取得する取得部と、
前記第１の印刷データを利用して、前記印刷実行部に印刷を実行させる印刷制御部と、
を備えるプリンタ。
【請求項１７】
前記第１の受信部は、さらに、前記第１の端末装置とは異なる第２の端末装置から、前記印刷仲介サーバを利用するための第２の認証情報を受信し、
前記第２の受信部は、さらに、Ｎ個（前記Ｎは２以上の整数）のファイルに関係するＮ個のファイル関係情報と、前記第２の認証情報と、が、前記印刷仲介サーバに関連付けて登録されている場合に、前記第２の端末装置から第２のファイル識別情報を含む第２の印刷指示を受信し、
前記第２のファイル識別情報は、前記Ｎ個のファイルを識別するためのＮ個のファイル識別情報の中から、前記第２の端末装置のユーザによって選択されるファイル識別情報であり、
前記取得部は、さらに、前記第２の端末装置から前記第２の印刷指示が受信される場合に、前記第２の認証情報と前記第２のファイル識別情報とを利用して、前記第２のファイル識別情報によって識別される第２のファイルから生成される第２の印刷データを、前記印刷仲介サーバから取得し、
前記印刷制御部は、さらに、前記第２の印刷データを利用して、前記印刷実行部に印刷を実行させる、請求項１６に記載のプリンタ。
【請求項１８】
プリンタであって、
印刷実行部と、
制御部と、を備え、
前記制御部は、
Ｍ個（前記Ｍは２以上の整数）のファイルに関係するＭ個のファイル関係情報と、印刷仲介サーバを利用するための第１の認証情報と、が、前記印刷仲介サーバに関連付けて登録されている場合に、第１の端末装置から、前記第１の認証情報と第１のファイル識別情報とを受信する受信部であって、前記第１のファイル識別情報は、前記Ｍ個のファイルを識別するためのＭ個のファイル識別情報の中から、前記第１の端末装置のユーザによって選択されるファイル識別情報である、前記受信部と、
前記第１の端末装置から前記第１認証情報と前記ファイル関係情報とが受信される場合に、前記第１の認証情報と前記第１のファイル識別情報とを利用して、前記第１のファイル識別情報によって識別される第１のファイルから生成される第１の印刷データを、前記印刷仲介サーバから取得する取得部と、
前記第１の印刷データを利用して、前記印刷実行部に印刷を実行させる印刷制御部と、
を備えるプリンタ。
【請求項１９】
端末装置のためのコンピュータプログラムであって、
前記端末装置に搭載されるコンピュータに、以下の各処理、即ち、
印刷仲介サーバを利用するための認証情報をプリンタに送信する第１の送信処理と、
Ｍ個（前記Ｍは２以上の整数）のファイルに関係するＭ個のファイル関係情報と、前記認証情報とが、前記印刷仲介サーバに関連付けて登録されている場合に、前記認証情報を利用して、前記印刷仲介サーバから、前記Ｍ個のファイルを識別するためのＭ個のファイル識別情報を取得する第１の取得処理と、
前記Ｍ個のファイル識別情報の中から第１のファイル識別情報をユーザに選択させるための第１の選択画面を、前記端末装置の表示部に表示させる第１の表示制御処理と、
前記第１のファイル識別情報を含む印刷指示を前記プリンタに送信する第２の送信処理であって、前記認証情報と前記第１のファイル識別情報とは、前記印刷指示を受信した前記プリンタが、前記第１のファイル識別情報によって識別される第１のファイルから生成される印刷データを、前記印刷仲介サーバから取得するために、前記プリンタによって利用される、前記第２の送信処理と、
を実行させるコンピュータプログラム。
【請求項２０】
端末装置のためのコンピュータプログラムであって、
前記端末装置に搭載されるコンピュータに、以下の各処理、即ち、
Ｍ個（前記Ｍは２以上の整数）のファイルに関係するＭ個のファイル関係情報と、印刷仲介サーバを利用するための認証情報と、が、前記印刷仲介サーバに関連付けて登録されている場合に、前記認証情報を利用して、前記印刷仲介サーバから、前記Ｍ個のファイルを識別するためのＭ個のファイル識別情報を取得する第１の取得処理と、
前記Ｍ個のファイル識別情報の中から第１のファイル識別情報をユーザに選択させるための第１の選択画面を、前記端末装置の表示部に表示させる第１の表示制御処理と、
前記認証情報と前記第１のファイル識別情報とをプリンタに送信する送信処理であって、前記認証情報と前記第１のファイル識別情報とは、前記認証情報と前記第１のファイル識別情報とを受信した前記プリンタが、前記第１のファイル識別情報によって識別される第１のファイルから生成される印刷データを、前記印刷仲介サーバから取得するために、前記プリンタによって利用される、前記送信処理と、
を実行させるコンピュータプログラム。
【手続補正２】
【補正対象書類名】明細書
【補正対象項目名】００１７
【補正方法】変更
【補正の内容】
【００１７】
第１の取得部は、所定の通信方式に従った無線通信を実行して、印刷仲介サーバからＭ個のファイル識別情報を取得してもよい。第１の送信部は、所定の通信方式よりも近距離の無線通信を実行するための近距離無線通信方式に従った無線通信を実行して、認証情報をプリンタに送信してもよい。第２の送信部は、近距離無線通信方式に従った無線通信を実行して、印刷指示をプリンタに送信してもよい。
本明細書によって開示される別の端末装置は、第１の取得部と、第１の表示制御部と、送信部と、を備える。第１の取得部は、Ｍ個（前記Ｍは２以上の整数）のファイルに関係するＭ個のファイル関係情報と、印刷仲介サーバを利用するための認証情報と、が、印刷仲介サーバに関連付けて登録されている場合に、認証情報を利用して、印刷仲介サーバから、Ｍ個のファイルを識別するためのＭ個のファイル識別情報を取得する。第１の表示制御部は、Ｍ個のファイル識別情報の中から第１のファイル識別情報をユーザに選択させるための第１の選択画面を、端末装置の表示部に表示させる。送信部は、認証情報と第１のファイル識別情報とをプリンタに送信する。認証情報と第１のファイル識別情報とは、認証情報と第１のファイル識別情報とを受信したプリンタが、第１のファイル識別情報によって識別される第１のファイルから生成される印刷データを、印刷仲介サーバから取得するために、プリンタによって利用される。
【手続補正３】
【補正対象書類名】明細書
【補正対象項目名】００２０
【補正方法】変更
【補正の内容】
【００２０】
第１の受信部は、さらに、第１の端末装置とは異なる第２の端末装置から、印刷仲介サーバを利用するための第２の認証情報を受信してもよい。第２の受信部は、さらに、Ｎ個（Ｎは２以上の整数）のファイルに関係するＮ個のファイル関係情報と、第２の認証情報と、が、印刷仲介サーバに関連付けて登録されている場合に、第２の端末装置から第２のファイル識別情報を含む第２の印刷指示を受信してもよい。第２のファイル識別情報は、Ｎ個のファイルを識別するためのＮ個のファイル識別情報の中から、第２の端末装置のユーザによって選択されるファイル識別情報であってもよい。取得部は、さらに、第２の端末装置から第２の印刷指示が受信される場合に、第２の認証情報と第２のファイル識別情報とを利用して、第２のファイル識別情報によって識別される第２のファイルから生成される第２の印刷データを、印刷仲介サーバから取得してもよい。印刷制御部は、さらに、第２の印刷データを利用して、印刷実行部に印刷を実行させてもよい。この構成によると、第２の端末装置のユーザは、Ｎ個のファイル関係情報が印刷仲介サーバに登録された後に、Ｎ個のファイル識別情報の中から第２のファイル識別情報を選択して、当該第２のファイル識別情報によって識別される第２のファイルから生成される第２の印刷データをプリンタに取得させることができる。このために、ユーザの利便性が向上し得る。
本明細書によって開示される別のプリンタは、印刷実行部と、制御部と、を備える。制御部は、受信部と、取得部と、印刷制御部と、を備える。受信部は、Ｍ個（前記Ｍは２以上の整数）のファイルに関係するＭ個のファイル関係情報と、印刷仲介サーバを利用するための第１の認証情報と、が、前記印刷仲介サーバに関連付けて登録されている場合に、第１の端末装置から、第１の認証情報と第１のファイル識別情報とを受信する。第１のファイル識別情報は、Ｍ個のファイルを識別するためのＭ個のファイル識別情報の中から、第１の端末装置のユーザによって選択されるファイル識別情報である。取得部は、第１の端末装置から第１認証情報とファイル関係情報とが受信される場合に、第１の認証情報と第１のファイル識別情報とを利用して、第１のファイル識別情報によって識別される第１のファイルから生成される第１の印刷データを、印刷仲介サーバから取得する。印刷制御部は、第１の印刷データを利用して、印刷実行部に印刷を実行させる。